Podtech/llm-jp-corpus-v4-ja_patent huggingface dataset:
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
被験体における瘻を治療するための薬剤の製造における、脂肪組織由来間質幹細胞を含む組成物の使用であって、前記脂肪組織由来間質幹細胞が治療の対象となる被験体に対して同種異系である、使用。
【請求項２】
前記組成物に含まれる脂肪組織由来間質幹細胞の少なくとも５０％が、ＣＤ９、ＣＤ１０、ＣＤ１３、ＣＤ２９、ＣＤ４４、ＣＤ４９Ａ、ＣＤ５１、ＣＤ５４、ＣＤ５５、ＣＤ５８、ＣＤ５９、ＣＤ９０およびＣＤ１０５マーカーを発現するものである、請求項１に記載の使用。
【請求項３】
前記組成物に含まれる脂肪組織由来間質幹細胞の５％未満が、ＣＤ１１ｂ、ＣＤ１４、ＣＤ１５、ＣＤ１６、ＣＤ３１、ＣＤ３４、ＣＤ４５、ＣＤ４９ｆ、ＣＤ１０２、ＣＤ１０４、ＣＤ１０６および／またはＣＤ１３３マーカーを発現するものである、請求項２に記載の使用。
【請求項４】
前記組成物に含まれる脂肪組織由来間質幹細胞の濃度が少なくとも１０×１０６細胞／ｍＬである、請求項２に記載の使用。
【請求項５】
前記組成物が接着剤をさらに含んでなる、請求項２に記載の使用。
【請求項６】
前記脂肪組織由来間質幹細胞が、ｃ−Ｋｉｔ、ビメンチンおよびＣＤ９０マーカーを発現し、ＣＤ４、第ＶＩＩＩ因子、α−アクチン、デスミン、Ｓ−１００およびケラチンマーカーを発現しないものである、請求項２に記載の使用。
【請求項７】
前記脂肪組織由来間質幹細胞が、ＣＤ９、ＣＤ１０、ＣＤ１３、ＣＤ２９、ＣＤ４４、ＣＤ４９Ａ、ＣＤ５１、ＣＤ５４、ＣＤ５５、ＣＤ５８、ＣＤ５９、ＣＤ９０およびＣＤ１０５マーカーを発現し、ＣＤ１１ｂ、ＣＤ１４、ＣＤ１５、ＣＤ１６、ＣＤ３１、ＣＤ３４、ＣＤ４５、ＣＤ４９ｆ、ＣＤ１０２、ＣＤ１０４、ＣＤ１０６および／またはＣＤ１３３マーカーを発現しないものである、請求項２に記載の使用。
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
配列番号４のアミノ酸配列に結合する、抗ヌクレオリン剤。
【請求項２】
ヒトに対して実質的に非免疫原性である、請求項１に記載の抗ヌクレオリン剤。
【請求項３】
癌細胞を死滅させる、請求項１に記載の抗ヌクレオリン剤。
【請求項４】
前記癌細胞が、乳癌細胞、白血病細胞、肺癌細胞、前立腺癌細胞、結腸癌細胞、膵臓癌細胞、腎細胞癌細胞、卵巣癌細胞、黒色腫細胞、膠芽腫細胞、神経芽腫細胞、肉腫細胞、または胃癌細胞である、請求項３に記載の抗ヌクレオリン剤。
【請求項５】
前記癌細胞が乳癌細胞である、請求項４に記載の抗ヌクレオリン剤。
【請求項６】
前記癌細胞が白血病細胞である、請求項４に記載の抗ヌクレオリン剤。
【請求項７】
ＭＣＦ−７細胞およびヒトＡＢ血清と共に４８時間以下にわたりインキュベートすると、該ＭＣＦ−７細胞の集団のうちの少なくとも５０％を死滅させる、請求項１に記載の抗ヌクレオリン剤。
【請求項８】
ＭＣＦ−７細胞およびＭＣＦ１０Ａ細胞の個別の集団ならびに熱不活化血清と共に７２または９６時間にわたりインキュベートすると、ＭＣＦ１０Ａ細胞より多くのＭＣＦ−７細胞を死滅させる、請求項１に記載の抗ヌクレオリン剤。
【請求項９】
ＭＣＦ−７細胞およびＭＣＦ１０Ａ細胞の個別の集団ならびにヒトＡＢ血清と共に９６時間以下にわたりインキュベートすると、ＭＣＦ１０Ａ細胞より多くのＭＣＦ−７細胞を死滅させる、請求項１に記載の抗ヌクレオリン剤。
【請求項１０】
黄斑変性の治療に有効である、請求項１に記載の抗ヌクレオリン剤。
【請求項１１】
抗ヌクレオリン抗体またはその断片を含む、請求項１〜１０のいずれか一項に記載の抗ヌクレオリン剤。
【請求項１２】
前記抗ヌクレオリン抗体またはその断片が細胞傷害性である、請求項１１に記載の抗ヌクレオリン剤。
【請求項１３】
前記抗ヌクレオリン抗体またはその断片がヒトのものである、請求項１１に記載の抗ヌクレオリン剤。
【請求項１４】
前記抗ヌクレオリン抗体またはその断片がモノクローナルである、請求項１１に記載の抗ヌクレオリン剤。
【請求項１５】
前記抗ヌクレオリン抗体またはその断片が、Ｆａｂ断片、Ｆａｂ’断片、Ｆ（ａｂ’）２断片、もしくはＦｖ断片；ダイアボディー；直鎖状抗体；単鎖抗体；または抗体断片から形成される多重特異性抗体である、請求項１１に記載の抗ヌクレオリン剤。
【請求項１６】
哺乳動物における癌または非癌性疾患の治療における使用のための薬学的組成物であって、治療有効量の請求項１〜１５のいずれか一項に記載の抗ヌクレオリン剤と、薬学的に許容される担体とを含む、薬学的組成物。
【請求項１７】
前記哺乳動物がヒトである、請求項１６に記載の薬学的組成物。
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
長さ１２から３５ヌクレオチドのアンチセンスオリゴヌクレオチドであって、
（ａ）SEQ ID NO: 51, 50, 48, 49, 52および53からなる群より選択されるヌクレオチド配列；および／または
（ｂ）SEQ ID NO: 45のヌクレオチド1079-1459またはSEQ ID NO: 4のヌクレオチド193-215に対して少なくとも９０％の相補性を有するヌクレオチド配列；
の少なくとも８個の連続したヌクレオチドを含む、前記アンチセンスオリゴヌクレオチド。
【請求項２】
前記アンチセンスオリゴヌクレオチドが、SEQ ID NO: 51, 50, 48, 49, 52および53からなる群より選択されるヌクレオチド配列の少なくとも１２個または少なくとも１７個の連続したヌクレオチドを含む、請求項１に記載のアンチセンスオリゴヌクレオチド。
【請求項３】
前記アンチセンスオリゴヌクレオチドが、SEQ ID NO: 51, 50, 48, 49, 52および53からなる群より選択されるヌクレオチド配列からなる、請求項２に記載のアンチセンスオリゴヌクレオチド。
【請求項４】
前記アンチセンスオリゴヌクレオチドが、SEQ ID NO: 45のヌクレオチド1079-1459またはSEQ ID NO: 4のヌクレオチド193-215と少なくとも９５％または１００％の相補性を有する、請求項１に記載のアンチセンスオリゴヌクレオチド。
【請求項５】
少なくとも１つの修飾されたヌクレオシド間結合、糖部分、または核酸塩基を有する、請求項１〜４のいずれか１項に記載のアンチセンスオリゴヌクレオチド。
【請求項６】
５’及び３’ウィングセグメント間に位置するギャップセグメントを有するキメラオリゴヌクレオチドを含む、請求項１〜５のいずれか１項に記載のアンチセンスオリゴヌクレオチド。
【請求項７】
キメラオリゴヌクレオチドのギャップセグメントに２’−デオキシヌクレオチドが含まれ、そして、ウィングセグメントに修飾された糖部分を有するヌクレオチドが含まれる、請求項６に記載のアンチセンスオリゴヌクレオチド。
【請求項８】
修飾された糖部分が２’−ＭＯＥ、２’−ＯＭｅ、または二環式核酸である、請求項７に記載のアンチセンスオリゴヌクレオチド。
【請求項９】
二環式糖部分においてリボシル糖環の２’−水酸基が、当該糖環の４’炭素原子と結合している、請求項８に記載のアンチセンスオリゴヌクレオチド。
【請求項１０】
リボシル糖環の２’酸素原子及び４’炭素原子をつなぐ結合がメチレン基またはエチレン基である、請求項９に記載のアンチセンスオリゴヌクレオチド。
【請求項１１】
キメラオリゴヌクレオチドのギャップセグメントが１０個の２’−デオキシヌクレオチドからなり、そして、各ウィングセグメントが５個の２’−Ｏ−メトキシエチル−修飾ヌクレオチドからなる、請求項７に記載のアンチセンスオリゴヌクレオチド。
【請求項１２】
各ヌクレオシド間結合が、ホスホロチオエートヌクレオシド間結合である、請求項５に記載のアンチセンスオリゴヌクレオチド。
【請求項１３】
各シトシンが、５−メチルシトシンである、請求項５に記載のアンチセンスオリゴヌクレオチド。
【請求項１４】
前記オリゴヌクレオチドが、長さ１７から２５ヌクレオチドである、長さ１９から２３ヌクレオチドである、または、長さ２０ヌクレオチドである、請求項１〜１３のいずれか１項に記載のアンチセンスオリゴヌクレオチド。
【請求項１５】
請求項１〜１４のいずれか１項に記載のアンチセンスオリゴヌクレオチド、及び薬学的に許容可能な希釈剤を含む、医薬組成物。
【請求項１６】
前記アンチセンスオリゴヌクレオチドが、複合体化アンチセンスオリゴヌクレオチドである、請求項１５に記載の医薬組成物。
【請求項１７】
ハンチントン病に罹患している個体を処置するための、請求項１５または１６に記載の医薬組成物。
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に対応する特定表示を表示する特定表示手段と、
前記特定表示の表示態様を変化させることによって前記有利状態に制御される期待度を予告する予告演出を実行可能な予告演出実行手段と、
前記予告演出が実行されない第１の予告前演出と、前記予告演出が実行される第２の予告前演出と、前記第１の予告前演出の開始から所定タイミングまでの演出態様と同じ態様の演出を行ったのちに前記予告演出が実行される第３の予告前演出と、のうちのいずれかを実行可能な予告前演出実行手段と、
を備えることを特徴とする遊技機。
【手続補正２】
【補正対象書類名】明細書
【補正対象項目名】０００２
【補正方法】変更
【補正の内容】
【０００２】
従来から、可変表示を行い、遊技者にとって有利な有利状態（例えば、大当り遊技状態など）に制御可能な遊技機が知られている。
【手続補正３】
【補正対象書類名】明細書
【補正対象項目名】０００３
【補正方法】変更
【補正の内容】
【０００３】
このような遊技機として、特定表示の表示態様を変化させることで、有利状態に制御される期待度を予告する予告演出（例えば、保留表示についての先読み予告）を実行する遊技機がある。
【手続補正４】
【補正対象書類名】明細書
【補正対象項目名】０００４
【補正方法】変更
【補正の内容】
【０００４】
さらに、このような遊技機として、例えば、特許文献１には、予告演出が実行されない第１の予告前演出（キャラクターが登場して保留表示態様を変化させない演出）と、前記予告演出が実行される第２の予告前演出（キャラクターが登場して保留表示態様を変化させる演出）と、を実行可能な遊技機が開示されている。
【手続補正５】
【補正対象書類名】明細書
【補正対象項目名】０００７
【補正方法】変更
【補正の内容】
【０００７】
本発明は、遊技者の期待感を持続させることができる遊技機を提供することを目的とする。
【手続補正６】
【補正対象書類名】明細書
【補正対象項目名】０００８
【補正方法】変更
【補正の内容】
【０００８】
（Ａ）上記目的を達成するため本発明に係る遊技機は、
可変表示（例えば、特別図柄や飾り図柄の可変表示など）を行い、遊技者にとって有利な有利状態（例えば、大当り遊技状態など）に制御可能な遊技機（例えば、大当りなどの特定表示結果が導出されたときに大当り遊技状態に制御するパチンコ遊技機１など）であって、
可変表示に対応する特定表示（例えば、保留表示図柄）を表示する特定表示手段（例えば、画像表示装置５に保留表示図柄を表示させる演出制御用ＣＰＵ１２０）と、
前記特定表示の表示態様を変化させることによって前記有利状態に制御される期待度を予告する予告演出（例えば、保留表示予告など）を実行可能な予告演出実行手段（例えば、ステップＳ５０８Ａ、ステップＳ１７１などの処理を実行する演出制御用ＣＰＵ１２０など）と、
前記予告演出が実行されない第１の予告前演出（例えば、第１パターンの保留表示予告前演出など）と、前記予告演出が実行される第２の予告前演出（例えば、第２パターンの保留表示予告前演出など）と、前記第１の予告前演出の開始から所定タイミングまでの演出態様と同じ態様の演出を行ったのちに前記予告演出が実行される第３の予告前演出（例えば、第３パターンの保留表示予告前演出など）と、のうちのいずれかを実行可能な予告前演出実行手段（例えば、ステップＳ５０８Ｂ、ステップＳ１７１などの処理を実行する演出制御用ＣＰＵ１２０など）と、
を備えることを特徴とする。
上記の構成によれば、遊技者の期待感を持続させることができる。
【手続補正７】
【補正対象書類名】明細書
【補正対象項目名】０００９
【補正方法】変更
【補正の内容】
【０００９】
（１）参考例に係る遊技機は、
可変表示（例えば、特別図柄や飾り図柄の可変表示など）を行い表示結果を導出し、遊技者にとって有利な有利状態（例えば、大当り遊技状態など）に制御可能な遊技機（例えば、大当りなどの特定表示結果が導出されたときに大当り遊技状態に制御するパチンコ遊技機１など）であって、
未だ開始されていない可変表示に対応する保留表示（例えば、保留表示図柄）を表示する保留表示手段（例えば、画像表示装置５に保留表示図柄を表示させる演出制御用ＣＰＵ１２０）と、
未だ開始されていない可変表示について先読み判定を行う先読み判定手段（例えば、ステップＳ２１１などの処理を実行するＣＰＵ１０３など）と、
前記先読み判定の判定結果に基づいて、当該判定結果の対象となる可変表示に対応する保留表示の表示態様を変化させることによって前記有利状態に制御される期待度を予告する予告演出（例えば、保留表示予告など）を実行可能な予告演出実行手段（例えば、ステップＳ５０８Ａ、ステップＳ１７１などの処理を実行する演出制御用ＣＰＵ１２０など）と、
前記予告演出が実行されないことを表す第１の予告前演出（例えば、第１パターンの保留表示予告前演出など）と、前記予告演出が実行されることを表す第２の予告前演出（例えば、第２パターンの保留表示予告前演出など）と、前記第１の予告前演出の開始から所定タイミングまでの前記第１の予告前演出の演出態様と同じ態様の演出を行ったのちに前記予告演出が実行されることを表す第３の予告前演出（例えば、第３パターンの保留表示予告前演出など）と、のうちのいずれかを実行可能な予告前演出実行手段（例えば、ステップＳ５０８Ｂ、ステップＳ１７１などの処理を実行する演出制御用ＣＰＵ１２０など）と、を備え、
前記予告前演出実行手段は、前記第３の予告前演出を実行する場合に、前記第３の予告前演出を実行しない場合よりも高い割合で前記第１の予告前演出を実行し（例えば、図３１のテーブルにおける第１パターンや第３パターンの保留表示予告前演出の実行決定割合などを参照）、
前記第２の予告前演出が実行されたときと前記第３の予告前演出が実行されたときとでは前記有利状態に制御される期待度が異なる（例えば、図３１における決定割合などを参照）、
ことを特徴とする。
上記の構成によれば、予告演出が実行されない第１の予告前演出が実行されたとしても、その後に、予告演出が実行される第３の予告前演出が実行されやすいので、遊技者は、第１の予告前演出が実行されたとしても、第３の予告前演出が実行されて予告演出が実行されることを期待するので、遊技者の期待感を持続させることができる。
【手続補正書】
【提出日】平成28年9月20日(2016.9.20)
【手続補正１】
【補正対象書類名】明細書
【補正対象項目名】００１２
【補正方法】変更
【補正の内容】
【００１２】
上記目的を達成するため、本発明は、遊技球が流下する遊技領域を有する遊技盤と、前記遊技領域に設けられた始動口と、この始動口に遊技球が入賞したことを契機に乱数を取得すると共に、この乱数を用いて特別図柄の当否に係る抽選を行う特別図柄抽選手段と、変動パターンコマンドを遊技毎に決定する変動パターンコマンド決定手段と、所定の場合に前記特別図柄抽選手段が取得した乱数を所定個数の上限まで保留球乱数として記憶する保留球乱数記憶部と、前記特別図柄抽選手段による抽選で大当たりに当選した場合に大当たり遊技を提供する大当たり遊技制御手段と、遊技に関する演出を表示する演出表示装置と、所定の演出態様を前記演出表示装置へ表示するように制御する演出表示制御手段と、を備えたパチンコ機において、前記変動パターンコマンド決定手段は、前記保留球乱数記憶部に保留球乱数が記憶される毎に、前記保留球乱数に対する先読みコマンドを前記演出表示制御手段に出力し、前記演出表示制御手段は、前記先読みコマンドに基づく先読み予告演出を行うことが決定された場合に、その決定に係る先読みコマンドに対応する保留球乱数である先読み対象保留より先に記憶されている保留球乱数に基づく遊技において、先読み準備演出を前記演出表示装置に表示すると共に、前記先読み準備演出を表示した遊技から前記先読み対象保留に基づく遊技までの間に行われる遊技において前記先読み予告演出を前記演出表示装置に表示し、前記先読み予告演出には、第１先読み予告演出と、この第１先読み予告演出と演出態様の異なる第２先読み予告演出とが含まれ、前記先読み準備演出は、前記第１先読み予告演出および前記第２先読み予告演出の前に共通で表示され、前記先読み準備演出から前記第１先読み予告演出に発展する第１の場合と、前記先読み準備演出から前記第２先読み予告演出に発展する第２の場合とでは、前記第２の場合の方が前記第１の場合より遊技者にとって有利な前記大当たり遊技が提供される可能性が高くなるよう構成されている、ことを特徴としている。
【手続補正２】
【補正対象書類名】特許請求の範囲
【補正対象項目名】全文
【補正方法】変更
【補正の内容】
【特許請求の範囲】
【請求項１】
遊技球が流下する遊技領域を有する遊技盤と、前記遊技領域に設けられた始動口と、この始動口に遊技球が入賞したことを契機に乱数を取得すると共に、この乱数を用いて特別図柄の当否に係る抽選を行う特別図柄抽選手段と、変動パターンコマンドを遊技毎に決定する変動パターンコマンド決定手段と、所定の場合に前記特別図柄抽選手段が取得した乱数を所定個数の上限まで保留球乱数として記憶する保留球乱数記憶部と、前記特別図柄抽選手段による抽選で大当たりに当選した場合に大当たり遊技を提供する大当たり遊技制御手段と、遊技に関する演出を表示する演出表示装置と、所定の演出態様を前記演出表示装置へ表示するように制御する演出表示制御手段と、を備えたパチンコ機において、
前記変動パターンコマンド決定手段は、前記保留球乱数記憶部に保留球乱数が記憶される毎に、前記保留球乱数に対する先読みコマンドを前記演出表示制御手段に出力し、
前記演出表示制御手段は、前記先読みコマンドに基づく先読み予告演出を行うことが決定された場合に、その決定に係る先読みコマンドに対応する保留球乱数である先読み対象保留より先に記憶されている保留球乱数に基づく遊技において、先読み準備演出を前記演出表示装置に表示すると共に、前記先読み準備演出を表示した遊技から前記先読み対象保留に基づく遊技までの間に行われる遊技において前記先読み予告演出を前記演出表示装置に表示し、
前記先読み予告演出には、第１先読み予告演出と、この第１先読み予告演出と演出態様の異なる第２先読み予告演出とが含まれ、
前記先読み準備演出は、前記第１先読み予告演出および前記第２先読み予告演出の前に共通で表示され、
前記先読み準備演出から前記第１先読み予告演出に発展する第１の場合と、前記先読み準備演出から前記第２先読み予告演出に発展する第２の場合とでは、前記第２の場合の方が前記第１の場合より遊技者にとって有利な前記大当たり遊技が提供される可能性が高くなるよう構成されている、ことを特徴とするパチンコ機。
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技の制御を行う遊技制御手段と、
発光手段を含む演出手段と、
前記遊技制御手段から受信した制御情報に基づいて前記演出手段の制御を行う演出制御手段と、
を備え、
前記演出制御手段は、
節電条件が成立したときに、前記発光手段を消灯させる節電制御を実行し、
節電制御の実行中に遊技の進行に応じた制御情報を受信したときに、節電制御を終了するとともに、該制御情報に応じて演出手段の制御を行う、スロットマシン。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】変更
【補正の内容】
【０００４】
この種のスロットマシンとして省電力化を図ったスロットマシンが提案されている（例えば、特許文献１参照）。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明は、省電力化を図ることができるスロットマシンを提供することを目的とする。
【手続補正８】
【補正対象書類名】明細書
【補正対象項目名】０００９
【補正方法】変更
【補正の内容】
【０００９】
上記課題を解決するために、本発明の請求項１に記載のスロットマシンは、
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技の制御を行う遊技制御手段と、
発光手段を含む演出手段と、
前記遊技制御手段から受信した制御情報に基づいて前記演出手段の制御を行う演出制御手段と、
を備え、
前記演出制御手段は、
節電条件が成立したときに、前記発光手段を消灯させる節電制御を実行し、
節電制御の実行中に遊技の進行に応じた制御情報を受信したときに、節電制御を終了するとともに、該制御情報に応じて演出手段の制御を行う
ことを特徴としている。
本発明の手段１のスロットマシンは、
遊技媒体（メダル）を用いて１ゲームに対して所定数の賭数を設定することによりゲームが開始可能となるとともに、各々が識別可能な複数種類の図柄を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
非通電状態（ｏｆｆ）においては、外部から投入された遊技媒体（メダル）の流下通路が外部（メダル払出口９）に排出される排出側通路となり、通電状態（ｏｎ）とすることで内部（ホッパータンク３４ａ）に取り込む取込側通路に切り替わる通路切替手段（流路切替ソレノイド３０）と、
遊技媒体（メダル）の受付が可能な状態において前記通路切替手段（流路切替ソレノイド３０）を通電状態（ｏｎ）に制御し、遊技媒体（メダル）の受付が不可能な状態において前記通路切替手段を非通電状態（ｏｆｆ）に制御する切替制御手段（ＣＰＵ５０５）と、
遊技を進行させる際に操作される遊技操作手段（ＭＡＸＢＥＴスイッチ６、スタートスイッチ７、ストップスイッチ８Ｌ、８Ｃ、８Ｒ）と、
を備え、
前記切替制御手段（ＣＰＵ５０５）は、前記遊技媒体の受付が可能な状態において所定の節電条件（一定時間、ＭＡＸＢＥＴスイッチ６、スタートスイッチ７、ストップスイッチ８Ｌ、８Ｃ、８Ｒが操作されず、かつメダルの投入が検出されないこと、設定変更の終了、エラー処理の終了、精算処理の終了）が成立したときに、前記通路切替手段（流路切替ソレノイド３０）を非通電状態（ｏｆｆ）に制御し、該所定の節電条件の成立により前記非通電状態（ｏｆｆ）に制御されている状態で、前記遊技操作手段（ＭＡＸＢＥＴスイッチ６、スタートスイッチ７、ストップスイッチ８Ｌ、８Ｃ、８Ｒ）が操作された場合に再び前記通路切替手段（流路切替ソレノイド３０）を通電状態（ｏｆｆ）に制御する
ことを特徴としている。
この特徴によれば、遊技媒体の受付が可能な状態において所定の節電条件が成立したときに、通路切替手段が非通電状態に制御されるので、遊技者がゲームを行っていない状態において無駄な電力の使用を抑制できるとともに、所定の節電条件の成立により非通電状態に制御されている状態において、遊技操作手段が操作された場合に、通路切替手段が通電状態となり、遊技媒体を受付可能な状態に復帰するので、非通電状態から復帰させるためだけの検出手段等を設けることなく、既存の遊技操作手段を用いて通路切替手段の通電状態の復帰が可能となるため、所定の節電条件が成立した場合に、通路切替手段を非通電状態とし、遊技者が遊技を行う際に通電状態に復帰させる機能を搭載するにあたり、製造コストの高騰を抑えることができる。
尚、遊技媒体の受付が可能な状態とは、遊技媒体を受け付けて賭数の設定が可能な状態や遊技媒体を内部に受け付けて遊技者所有の遊技媒体数を記憶する記憶手段の記憶数を加算させることが可能な状態などが該当する。
また、切替制御手段は、所定の節電条件の成立により前記非通電状態に制御されている状態で、遊技操作手段のうち遊技の進行に関与しない遊技操作手段が操作された場合に再び前記通路切替手段を通電状態に制御するものでも良いし、遊技操作手段のうち遊技の進行に関与する遊技操作手段が操作された場合に再び前記通路切替手段を通電状態に制御するものでも良い。
【手続補正書】
【提出日】平成28年5月24日(2016.5.24)
【手続補正１】
【補正対象書類名】特許請求の範囲
【補正対象項目名】全文
【補正方法】変更
【補正の内容】
【特許請求の範囲】
【請求項１】
遊技の演出に係る制御を行う演出制御手段を備え、
複数の演出装置を複数グループに分割し、該分割されたグループに属する演出装置を制御するためのグループ単位制御手段をグループ毎に設け、
前記演出制御手段を、複数の前記グループ単位制御手段を統括的に制御するグループ統括制御手段として構成し、
前記グループ単位制御手段と前記グループ統括制御手段が、前記グループ単位制御手段と前記グループ統括制御手段との間に設けられた分岐基板を介して接続され、
前記グループ単位制御手段は、
前記グループ統括制御手段から伝達されるデータを受信すると、前記分岐基板を介して前記データを受信したことを示す返答信号を前記グループ統括制御手段に伝達することを特徴とする遊技機。
【手続補正２】
【補正対象書類名】明細書
【補正対象項目名】０００５
【補正方法】変更
【補正の内容】
【０００５】
特許文献１に記載された遊技機では、配線を十分に削減することができなかった。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明は、グループ統括制御手段とグループ単位制御手段とを接続する接続線の数を削減することのできる遊技機を提供することを目的とする。
【手続補正７】
【補正対象書類名】明細書
【補正対象項目名】００１０
【補正方法】変更
【補正の内容】
【００１０】
本発明は、遊技の演出に係る制御を行う演出制御手段を備え、複数の演出装置を複数グループに分割し、該分割されたグループに属する演出装置を制御するためのグループ単位制御手段をグループ毎に設け、前記演出制御手段を、複数の前記グループ単位制御手段を統括的に制御するグループ統括制御手段として構成し、前記グループ単位制御手段と前記グループ統括制御手段が、前記グループ単位制御手段と前記グループ統括制御手段との間に設けられた分岐基板を介して接続され、前記グループ単位制御手段は、前記グループ統括制御手段から伝達されるデータを受信すると、前記分岐基板を介して前記データを受信したことを示す返答信号を前記グループ統括制御手段に伝達することを特徴とする。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
本発明によると、グループ統括制御手段とグループ単位制御手段とを接続する接続線の数を削減することができる。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
傷口に局所負圧をかけるための、創傷を被覆するための装置であって、当該装置は、
液体および気体透過性の伝達層（１０５）と、
前記伝達層（１０５）の上に位置する、創傷滲出液を吸収するための吸収層（１１０）と、
前記吸収層（１１０）の上に位置し、第１のオリフィス（１４５）を備える気体不透過性のカバー層（１４０）であって、水蒸気透過性がある気体不透過性のカバー層（１４０）と、
前記第１のオリフィス（１４５）の周囲の周りで、前記カバー層（１４０）にシールされたポート（１５０）であって、有孔の創傷接触層（１０２）が前記伝達層（１０５）の下に位置する、ポート（１５０）と、
を備え、前記カバー層（１４０）および前記創傷接触層（１０２）が、前記吸収層（１１０）のエッジ領域を越えて被覆材の中央領域（２０１）から外向きに延在して境界領域（２００）を形成し、前記カバー層（１４０）および前記創傷接触層（１０２）が前記境界領域（２００）において共にシールされていることを特徴とする装置。
【請求項２】
前記カバー層（１４０）が、湿潤時に増大される水分透過速度を有する材料から作られたフィルムを備える請求項１記載の装置。
【請求項３】
前記第１のオリフィス（１４５）を覆いかつ前記カバー層（１４０）および／または前記ポート（１５０）にシールされた、フィルター膜をさらに備える請求項１記載の装置。
【請求項４】
前記吸収層（１１０）が、前記第１のオリフィス（１４５）の下に位置する第２のオリフィスを備える請求項３に記載の装置。
【請求項５】
前記第１のオリフィス（１４５）が、前記第２のオリフィスを通して前記伝達層（１０５）に結合された請求項４に記載の装置。
【請求項６】
前記創傷接触層（１０２）が、前記伝達層（１０５）の下に位置する、有孔の創傷接触層である請求項５に記載の装置。
【請求項７】
前記創傷接触層（１０２）の下面および／または上面に、接着剤層をさらに備える請求項６に記載の装置。
【請求項８】
前記創傷接触層（１０２）の下面に、リリース可能保護層をさらに備える請求項６または７に記載の装置。
【請求項９】
前記創傷接触層（１０２）中におよび／または前記吸収層（１１０）中に、抗菌剤をさらに含む請求項８に記載の装置。
【請求項１０】
鎮痛剤および／または細胞活性強化剤をさらに備える請求項９に記載の装置。
【請求項１１】
臭気トラップ剤をさらに含む請求項１０に記載の装置。
【請求項１２】
創傷被覆材の概略形状が、丸みを帯びたコーナー領域を有する、長方形である請求項１１に記載の装置。
【請求項１３】
前記ポート（１５０）および前記第１のオリフィス（１４６）が、中央位置よりも、前記被覆材の一端により近づけて配置された請求項１２に記載の装置。
【請求項１４】
前記ポート（１５０）と流体連通しかつ前記伝達層（１５０）に負圧を伝えるように構成された、ポンプをさらに備える請求項１３に記載の装置。
【請求項１５】
長いチューブ（２２０）をさらに備え、前記チューブ（２２０）が第１端部で吸引ポート（１５０）に結合され、かつ第２の端部でポンプユニットに結合されて流体が前記被覆材から送り出されるようにする請求項１４に記載の装置。
【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
遊技領域に打ち込まれた遊技媒体を受け入れ可能な受入口と、
前記受入口に遊技媒体が受け入れられたことに基づいて、所定の抽選を行う抽選手段と、
所定の表示演出が表示される表示領域を有する表示手段と、
前記抽選の結果に基づいて、前記表示領域に表示される前記所定の表示演出を制御しうる表示制御手段と、
前記抽選の結果に基づいて、遊技者に有利な大当たり遊技を実行可能な大当り遊技実行手段と、
前記表示領域に表示される前記所定の表示演出を妨げないよう当該表示演出を視認できるかたちで所定の態様で可動しうるように前記表示領域の略周縁に配置される可動手段と、
前記可動手段の可動態様を制御する可動制御手段と、
を備え、前記可動手段が前記表示領域の前方に表出して該表示領域の前方において特定の可動演出が行われると前記抽選の結果に対する期待感を与えうる遊技機であって、
前記可動制御手段は、
前記表示領域の略周縁にある前記可動手段を、前記抽選処理の結果に基づいて、前記表示領域に表示される前記所定の表示演出を妨げうる位置である該表示領域の前方に第１の形態で表出させたのち、前記表示領域の略周縁まで移動させる可動体作動制御手段と、
前記表示領域に前記第１の形態で表出したのちに前記略周縁まで移動された前記可動手段を、前記第１の形態とは異なる第２の形態で再び前記表示領域の前方に移動させて、前記抽選の結果に対する期待感を遊技者に与えうる前記特定の可動演出を実行可能な特定可動演出実行手段と、
を有することを特徴とする遊技機。
【請求項２】
前記抽選手段は、前記受入口への遊技媒体の受け入れに基づいて取得された乱数を用いて行うものである
請求項１に記載の遊技機。
【請求項３】
前記表示手段は、液晶表示装置として設けられてなる
請求項１または２に記載の遊技機。
【手続補正２】
【補正対象書類名】明細書
【補正対象項目名】０００８
【補正方法】変更
【補正の内容】
【０００８】
請求項１に記載の遊技機は、遊技領域に打ち込まれた遊技媒体を受け入れ可能な受入口と、前記受入口に遊技媒体が受け入れられたことに基づいて、所定の抽選を行う抽選手段と、所定の表示演出が表示される表示領域を有する表示手段と、前記抽選の結果に基づいて、前記表示領域に表示される前記所定の表示演出を制御しうる表示制御手段と、前記抽選の結果に基づいて、遊技者に有利な大当たり遊技を実行可能な大当り遊技実行手段と、前記表示領域に表示される前記所定の表示演出を妨げないよう当該表示演出を視認できるかたちで所定の態様で可動しうるように前記表示領域の略周縁に配置される可動手段と、前記可動手段の可動態様を制御する可動制御手段と、を備え、前記可動手段が前記表示領域の前方に表出して該表示領域の前方において特定の可動演出が行われると前記抽選の結果に対する期待感を与えうる遊技機であって、前記可動制御手段は、前記表示領域の略周縁にある前記可動手段を、前記抽選処理の結果に基づいて、前記表示領域に表示される前記所定の表示演出を妨げうる位置である該表示領域の前方に第１の形態で表出させたのち、前記表示領域の略周縁まで移動させる可動体作動制御手段と、前記表示領域に前記第１の形態で表出したのちに前記略周縁まで移動された前記可動手段を、前記第１の形態とは異なる第２の形態で再び前記表示領域の前方に移動させて、前記抽選の結果に対する期待感を遊技者に与えうる前記特定の可動演出を実行可能な特定可動演出実行手段と、を有するようにしたものである。
請求項２に記載の遊技機は、請求項１に記載された抽選手段を、前記受入口への遊技媒体の受け入れに基づいて取得された乱数を用いて行うようにしたものである。
請求項３に記載の遊技機は、請求項１または２に記載された表示手段が、液晶表示装置として設けられてなるものである。
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
皮膚にマイクロ波エネルギーを適用するためのシステムであって：
所定の特性を有するマイクロ波信号を発生させるように適合された信号発生器と；
該信号発生器に接続され、マイクロ波エネルギーを皮膚に適用し、かつ、該皮膚の外側表面に隣接して配置されるように適合されたアプリケータであって、該アプリケータは、１つ以上のマイクロ波アンテナおよび１つの組織インターフェースを備える、アプリケータと；
該組織インターフェースと接触するように該皮膚を移動させるための減圧を提供するための、該アプリケータに接続された減圧源と；
該アプリケータに接続された冷却剤源と；
該信号発生器、該減圧源および該冷却剤源を制御するように適合された制御器と
を備える、システム。
【請求項２】
前記マイクロ波信号が、４ＧＨｚ〜１０ＧＨｚの範囲の周波数を有する、請求項１に記載のシステム。
【請求項３】
前記マイクロ波信号が、５ＧＨｚ〜６．５ＧＨｚの範囲の周波数を有する、請求項２に記載のシステム。
【請求項４】
前記マイクロ波信号が、５．８ＧＨｚの周波数を有する、請求項３に記載のシステム。
【請求項５】
前記組織インターフェースが冷却プレートを備える、請求項１に記載のシステム。
【請求項６】
前記アプリケータが、吸引要素を備えるように構成された組織チャンバを備える、請求項１に記載のシステム。
【請求項７】
前記１つ以上のマイクロ波アンテナが導波管アンテナを備える、請求項１に記載のシステム。
【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
遊技の進行に応じて、画像表示手段の表示動作を制御する画像表示制御装置であって、
演出制御用マイクロコンピュータ及び画像処理用プロセッサを含み、
前記画像処理用プロセッサは、
前記画像表示手段に画像を表示させるための所定処理を実行する処理実行手段と、
前記所定処理が完了した後に、完了信号を前記演出制御用マイクロコンピュータに対して出力する完了信号出力手段とを含み、
前記演出制御用マイクロコンピュータは、
前記演出制御用マイクロコンピュータの起動に対応して、前記画像処理用プロセッサの初期設定を行う画像処理初期設定手段と、
前記画像処理用プロセッサに対して前記所定処理の実行を指令する処理指令手段と、
前記完了信号出力手段からの完了信号を検出する完了信号検出手段とを含み、
前記所定処理は、記憶手段に記憶されているデータを読み出して復号することにより、前記画像表示手段に画像を表示するためのデータとする処理を含み、
前記画像表示制御装置は、
前記処理指令手段により指令された後に前記完了信号検出手段によって前記完了信号出力手段からの完了信号が検出されずに予め定められた待機期間が経過したことに対応して、前記演出制御用マイクロコンピュータを再起動させることを特徴とする、画像表示制御装置。
【手続補正２】
【補正対象書類名】明細書
【補正対象項目名】０００６
【補正方法】変更
【補正の内容】
【０００６】
遊技の進行に応じて、画像表示手段の表示動作を制御する画像表示制御装置であって、
演出制御用マイクロコンピュータ及び画像処理用プロセッサを含み、
前記画像処理用プロセッサは、
前記画像表示手段に画像を表示させるための所定処理を実行する処理実行手段と、
前記所定処理が完了した後に、完了信号を前記演出制御用マイクロコンピュータに対して出力する完了信号出力手段とを含み、
前記演出制御用マイクロコンピュータは、
前記演出制御用マイクロコンピュータの起動に対応して、前記画像処理用プロセッサの初期設定を行う画像処理初期設定手段と、
前記画像処理用プロセッサに対して前記所定処理の実行を指令する処理指令手段と、
前記完了信号出力手段からの完了信号を検出する完了信号検出手段とを含み、
前記所定処理は、記憶手段に記憶されているデータを読み出して復号することにより、前記画像表示手段に画像を表示するためのデータとする処理を含み、
前記画像表示制御装置は、
前記処理指令手段により指令された後に前記完了信号検出手段によって前記完了信号出力手段からの完了信号が検出されずに予め定められた待機期間が経過したことに対応して、前記演出制御用マイクロコンピュータを再起動させる。
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
外周面に集積用凹部が形成された回転ドラムに、繊維材料を飛散状態にて供給し、該繊維材料を前記集積用凹部内に吸引により堆積させて所定形状の吸収体を得る吸収体の製造方法であって、
繊維材料の単位時間当たりの供給量を、集積用凹部の回転移動周期に合わせて周期的に変化させることによって、繊維材料の坪量が相対的に高い部分と繊維材料の坪量が相対的に低い部分とを有する吸収体を得る、吸収体の製造方法。
【請求項２】
前記集積用凹部は、底面全体に均一な吸引力を生じるものである、請求項１に記載の吸収体の製造方法。
【請求項３】
前記回転ドラムに飛散状態で供給する繊維材料を、繊維材料の原料シートを解繊機に供給して生じさせるとともに、該原料シートの解繊機に対する単位時間当たりの供給量を変化させることによって、前記回転ドラムに飛散状態で供給する繊維材料の単位時間当たりの供給量を周期的に変化させる、請求項１又は２に記載の吸収体の製造方法。
【請求項４】
前記繊維材料を搬送する空気流中に吸水性ポリマーを供給し、吸水性ポリマーを有する吸収体を得る、請求項１〜３の何れか１項に記載の吸収体の製造方法。
【請求項５】
前記繊維材料を搬送する空気流中に、吸水性ポリマーを一定の供給量で連続して供給して、前記吸収体として、繊維材料の坪量が相対的に高い部分に、繊維材料の坪量が相対的に低い部分より多くの吸水性ポリマーを有する吸収体を得る、請求項１〜４の何れか１項に記載の吸収体の製造方法。
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
留置針の外筒を注射筒に連結させる工程と、前記外筒の先端を折り曲げてつぶす工程と、を備えており、前記外筒は可撓性を有するフッ素樹脂からなることを特徴とする歯周ポケット洗浄装置の製造方法。
【請求項２】
請求項１に記載の歯周ポケット洗浄装置の製造方法において、前記留置針の外筒を注射筒に連結させる工程の前に、留置針から前記外筒を引き抜く工程を更に備えたことを特徴とする歯周ポケット洗浄装置の製造方法。
【手続補正書】
【提出日】平成28年5月20日(2016.5.20)
【手続補正１】
【補正対象書類名】明細書
【補正対象項目名】０００７
【補正方法】変更
【補正の内容】
【０００７】
請求項１に記載の発明によれば、
フレームごとに露光を行って、被写体の撮影画像を生成する撮影手段と、
前記撮影手段の撮影方向を変更する変更手段と、
前記撮影手段の撮影方向を変更するように、前記変更手段を制御する制御手段と、を備え、
前記制御手段は、前記撮影手段の露光期間に応じて前記撮影方向の変更の有効期間を決定し、決定した有効期間内で、前記変更手段により前記撮影方向の変更を実施させることを特徴とする撮影装置が提供される。
【手続補正２】
【補正対象書類名】明細書
【補正対象項目名】０００８
【補正方法】変更
【補正の内容】
【０００８】
請求項８に記載の発明によれば、
フレームごとに露光を行って、被写体の撮影画像を生成する撮影手段と、前記撮影手段の撮影方向を変更する変更手段と、を備える撮影装置の撮影方向の制御方法であって、
前記撮影手段の露光期間に応じて、前記撮影方向の変更の有効期間を決定する決定ステップと、
前記決定ステップにおいて決定された有効期間内で、前記撮影手段の撮影方向を変更するように、前記変更手段を制御する制御ステップと、
を含むことを特徴とする撮影方向の制御方法が提供される。
【手続補正３】
【補正対象書類名】明細書
【補正対象項目名】０００９
【補正方法】変更
【補正の内容】
【０００９】
請求項９に記載の発明によれば、
フレームごとに露光を行って、被写体の撮影画像を生成する撮影手段と、前記撮影手段の撮影方向を変更する変更手段と、を備える撮影装置のコンピュータに、
前記撮影手段の露光期間に応じて、前記撮影方向の変更の有効期間を決定する決定ステップと、
前記決定ステップにおいて決定された有効期間内で、前記撮影手段の撮影方向を変更するように、前記変更手段を制御する制御ステップと、
を実行させるためのプログラムが提供される。
【手続補正４】
【補正対象書類名】特許請求の範囲
【補正対象項目名】全文
【補正方法】変更
【補正の内容】
【特許請求の範囲】
【請求項１】
フレームごとに露光を行って、被写体の撮影画像を生成する撮影手段と、
前記撮影手段の撮影方向を変更する変更手段と、
前記撮影手段の撮影方向を変更するように、前記変更手段を制御する制御手段と、を備え、
前記制御手段は、前記撮影手段の露光期間に応じて前記撮影方向の変更の有効期間を決定し、決定した有効期間内で、前記変更手段により前記撮影方向の変更を実施させることを特徴とする撮影装置。
【請求項２】
前記撮影手段により生成されたフレームの撮影画像中の被写体の位置を検出する検出手段を備え、
前記制御手段は、前記検出手段により検出された被写体の位置に応じて、次のフレームにおける撮影方向を決定し、前記撮影手段の撮影方向を前記決定した方向に変更するように、前記変更手段を制御することを特徴とする請求項１に記載の撮影装置。
【請求項３】
前記制御手段は、前記撮影手段の駆動方式がグローバルシャッタ方式である場合、あるフレームから次のフレームまでの垂直帰線期間を、前記有効期間として決定することを特徴とする請求項１又は２に記載の撮影装置。
【請求項４】
前記制御手段は、前記撮影手段の駆動方式がローリングシャッタ方式である場合、あるフレームの最終ラインの露光完了から次のフレームの先頭ラインの露光開始までの非露光期間を、前記有効期間として決定することを特徴とする請求項１又は２に記載の撮影装置。
【請求項５】
前記検出手段により前記フレームにおいて検出された被写体の移動速度及び移動方向を算出する算出手段と、
前記算出手段により算出された前記被写体の移動速度及び移動方向の少なくとも１つに基づいて、前記次のフレームにおいて前記被写体が位置するライン範囲を予測する予測手段と、を備え、
前記制御手段は、前記撮影手段の駆動方式がローリングシャッタ方式である場合、前記フレームにおいて前記被写体が検出されたライン範囲の露光完了から、前記次のフレームにおいて前記被写体が位置すると予測されたライン範囲の露光開始までの期間を、前記有効期間として決定することを特徴とする請求項２に記載の撮影装置。
【請求項６】
前記変更手段は、前記撮影手段の雲台を駆動して前記撮影手段を回転又は移動させることにより、前記撮影手段の撮影方向を変更することを特徴とする請求項１〜５のいずれか一項に記載の撮影装置。
【請求項７】
前記撮影手段は、入射光を結像する光学系と、前記光学系により結像された入射光を光電変換する撮像素子と、を備え、
前記変更手段は、前記光学系を駆動して、前記撮像素子へ入射する光軸の角度を変更することにより、前記撮影手段の撮影方向を変更することを特徴とする請求項１〜５のいずれか一項に記載の撮影装置。
【請求項８】
フレームごとに露光を行って、被写体の撮影画像を生成する撮影手段と、前記撮影手段の撮影方向を変更する変更手段と、を備える撮影装置の撮影方向の制御方法であって、
前記撮影手段の露光期間に応じて、前記撮影方向の変更の有効期間を決定する決定ステップと、
前記決定ステップにおいて決定された有効期間内で、前記撮影手段の撮影方向を変更するように、前記変更手段を制御する制御ステップと、
を含むことを特徴とする撮影方向の制御方法。
【請求項９】
フレームごとに露光を行って、被写体の撮影画像を生成する撮影手段と、前記撮影手段の撮影方向を変更する変更手段と、を備える撮影装置のコンピュータに、
前記撮影手段の露光期間に応じて、前記撮影方向の変更の有効期間を決定する決定ステップと、
前記決定ステップにおいて決定された有効期間内で、前記撮影手段の撮影方向を変更するように、前記変更手段を制御する制御ステップと、
を実行させるためのプログラム。
【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
顧客が属する環境に設置された１以上のネットワークデバイスの情報を前記顧客の顧客情報と対応付けて管理する管理システムであって、
クライアントからの顧客情報を含むリクエストを受信する受信手段と、
前記受信されたリクエストに含まれる顧客情報に対応する環境に設置された１以上のネットワークデバイスを決定する決定手段と、
前記決定された１以上のネットワークデバイスにアクセスさせるための制御情報を前記クライアントに応答する応答手段と、を有し、
前記クライアントから前記制御情報を用いてアクセスされたネットワークデバイスでの前記クライアントのユーザの認証が成功した場合には、該ネットワークデバイスを介して、前記ユーザの実績情報が前記クライアントに提供される
ことを特徴とする管理システム。
【請求項２】
前記決定手段は、前記顧客情報に対応する環境に設置された１以上のネットワークデバイスの中で、ユーザごとのネットワークデバイスの実績情報をクライアントへ提供する機能を備えるネットワークデバイスを決定する
ことを特徴とする請求項１に記載の管理システム。
【請求項３】
前記決定手段は、前記ユーザごとのネットワークデバイスの実績情報をクライアントへ提供する機能を備えるネットワークデバイスの中で、稼動中のネットワークデバイスを決定する
ことを特徴とする請求項２に記載の管理システム。
【請求項４】
前記決定手段は、前記稼動中のネットワークデバイスの中で、前記クライアントへ前記実績情報を提供できないエラーが発生していないネットワークデバイス、前記クライアントへの前記実績情報の提供に成功した最終日時が最も新しいネットワークデバイス、及び前記管理システムから実績情報を取得した日時が最も新しいネットワークデバイスの少なくとも何れかに該当するネットワークデバイスを決定する
ことを特徴とする請求項３に記載の管理システム。
【請求項５】
前記クライアントから前記制御情報を用いてアクセスされたネットワークデバイスが、前記クライアントについてのユーザの認証が成功した場合に、前記ユーザの最新の集計済みの実績情報を保持していないときに、前記ユーザの最新の集計済みの実績情報を前記ネットワークデバイスに送信する送信手段を備える
ことを特徴とする請求項１乃至４のいずれか１項に記載の管理システム。
【請求項６】
前記実績情報は、ネットワークデバイスの印刷実績情報、故障情報、およびエラー履歴情報を含み、
前記印刷実績情報は、前記ユーザのカラー印刷、両面印刷、及び集約印刷のうち少なくともいずれかの利用状況を示す
ことを特徴とする請求項１乃至５のいずれか１項に記載の管理システム。
【請求項７】
前記管理されるネットワークデバイスの情報は、顧客情報に対応するネットワーク内でのみ有効なアドレス情報と、前記ネットワーク外でも有効なアドレス情報とを含んでおり、
前記応答手段は、前記リクエストに含まれる顧客情報に対応するネットワーク内でのみ有効なアドレス情報に基づいて、前記クライアントに応答する前記制御情報を生成する
ことを特徴とする請求項１乃至６のいずれか１項に記載の管理システム。
【請求項８】
顧客が属する環境に設置された１以上のネットワークデバイスの情報を前記顧客の顧客情報と対応付けて管理する管理システムにおける、ユーザの実績情報の管理方法であって、
前記管理システムが、クライアントからの顧客情報を含むリクエストを受信する工程と、
前記管理システムが、前記受信されたリクエストに含まれる顧客情報に対応する環境に設置された１以上のネットワークデバイスを決定する決定工程と、
前記管理システムが、前記決定された１以上のネットワークデバイスにアクセスさせるための制御情報を前記クライアントに応答する工程と、を有し、
前記クライアントから前記制御情報を用いてアクセスされたネットワークデバイスでの前記クライアントのユーザの認証が成功した場合には、該ネットワークデバイスを介して、前記ユーザの実績情報が前記クライアントに提供される
ことを特徴とする管理方法。
【請求項９】
コンピュータを請求項１乃至７のいずれか１項に記載の手段として機能させるためのコンピュータプログラム。
【手続補正２】
【補正対象書類名】明細書
【補正対象項目名】０００９
【補正方法】変更
【補正の内容】
【０００９】
本発明の一実施形態の管理システムは、顧客が属する環境に設置された１以上のネットワークデバイスの情報を前記顧客の顧客情報と対応付けて管理する管理システムであって、クライアントからの顧客情報を含むリクエストを受信する受信手段と、前記受信されたリクエストに含まれる顧客情報に対応する環境に設置された１以上のネットワークデバイスを決定する決定手段と、前記決定された１以上のネットワークデバイスにアクセスさせるための制御情報を前記クライアントに応答する応答手段と、を有する。前記クライアントから前記制御情報を用いてアクセスされたネットワークデバイスでの前記クライアントのユーザの認証が成功した場合には、該ネットワークデバイスを介して、前記ユーザの実績情報が前記クライアントに提供される。